(57)【要約】【課題】硬度が高い溶射ワイヤであっても、溶射ワイヤがワイヤ収容容器内で絡むことなく、溶射ワイヤを円滑に溶射ガンに送給することができる溶射ワイヤ送給装置を提供する。【解決手段】溶射ガン７を備えたアーク溶射装置に用いる溶射ワイヤ送給装置１において、コイル状に巻かれた溶射ワイヤ４ａを収容するワイヤ収容容器２ａと、ワイヤ収容容器２ａ内に収容された溶射ワイヤ４ａを溶射ガン７に送給するワイヤ送給機３ａとを備え、ワイヤ収容容器２ａは、ワイヤ収容容器２ａ内における溶射ワイヤ４ａの巻方向と同方向にかつ同期して回転する。【選択図】図１
2014162970.tif 000002
【特許請求の範囲】
【請求項１】
溶射ガンを備えたアーク溶射装置に用いる溶射ワイヤ送給装置において、
コイル状に巻かれた溶射ワイヤを収容するワイヤ収容容器と、前記ワイヤ収容容器内に収容された前記溶射ワイヤを前記溶射ガンに送給するワイヤ送給機とを備え、前記ワイヤ収容容器は、前記ワイヤ収容容器内における前記溶射ワイヤの巻方向と同方向にかつ同期して回転することを特徴とする溶射ワイヤ送給装置。
【請求項２】
前記溶射ワイヤは、アルミニウム−マグネシウム合金からなることを特徴とする、請求項１に記載の溶射ワイヤ送給装置。
【発明の詳細な説明】
【技術分野】
【０００１】
この発明は、溶射ワイヤ送給装置、特に、溶射ワイヤがワイヤ収容容器内で絡むことなく、溶射ワイヤを円滑に溶射ガンに送給することが可能な、アーク溶射装置に用いる溶射ワイヤ送給装置に関するものである。
【背景技術】
【０００２】
アーク溶射装置は、例えば、図４の概略斜視図に示すように、２個のワイヤ収容容器１１ａ、１１ｂ内にそれぞれコイル状に巻かれて収容された２本の溶射ワイヤ１２ａ、１２ｂをワイヤ送給機１３ａ、１３ｂにより連続的に溶射ガン１４に送給し、２本の溶射ワイヤ１２ａ、１２ｂ間に電圧を印加してアークを発生させ、これにより溶融した溶射ワイヤ１２ａ、１２ｂを溶射ガン１４内を通して流出させたガス流に乗せて前方に飛散させ、かくして、溶射対象物（図示せず）に溶射被膜を形成するものである。
【０００３】
溶射対象物としての鋳鉄や鉄製金属管またはバルブなどの管路構成部材の表面に、防食を目的として、アーク溶射により溶射被膜を形成する発明が特許文献１に開示されている。
【０００４】
この発明は、亜鉛からなる溶射ワイヤと、アルミニウム−マグネシウム合金からなる溶射ワイヤとにより溶射対象物の表面に金属被膜を形成するものである。この発明によれば、従来の亜鉛のみの溶射被膜に比べて優れた防食性能が得られる。
【先行技術文献】
【特許文献】
【０００５】
【特許文献１】特開２００４−３１５９５８号公報
【発明の概要】
【発明が解決しようとする課題】
【０００６】
しかし、アルミニウム−マグネシウム合金からなる溶射ワイヤの硬度は、亜鉛からなる溶射ワイヤの硬度に比べて高いので、ワイヤ送給機によりアルミニウム−マグネシウム合金からなる溶射ワイヤを溶射ガンに送給する際に、アルミニウム−マグネシウム合金からなる溶射ワイヤがワイヤ収容容器内で絡まり、溶射ワイヤを円滑に溶射ガンに送給することができないおそれがあった。
【０００７】
従って、この発明の目的は、硬度が高い溶射ワイヤであっても、溶射ワイヤがワイヤ収容容器内で絡むことなく、溶射ワイヤを円滑に溶射ガンに送給することが可能な溶射ワイヤ送給装置を提供することにある。
【課題を解決するための手段】
【０００８】
本願発明者は、上記目的を達成すべく、鋭意研究を重ねた。この結果、ワイヤ収容容器にコイル状に巻かれて収容された溶射ワイヤの巻方向と同方向にかつ同期してワイヤ収容容器を回転させれば、溶射ワイヤがワイヤ収容容器内で絡むことなく、溶射ワイヤを円滑に溶射ガンに送給することができるといった知見を得た。
【０００９】
この発明は、上記知見に基づきなされたものであって、下記を特徴とするものである。
【００１０】
請求項１に記載の発明は、溶射ガンを備えたアーク溶射装置に用いる溶射ワイヤ送給装置において、コイル状に巻かれた溶射ワイヤを収容するワイヤ収容容器と、前記ワイヤ収容容器内に収容された前記溶射ワイヤを前記溶射ガンに送給するワイヤ送給機とを備え、前記ワイヤ収容容器は、前記ワイヤ収容容器内における前記溶射ワイヤの巻方向と同方向にかつ同期して回転することに特徴を有するものである。
【００１１】
請求項２に記載の発明は、請求項１に記載の発明において、前記溶射ワイヤは、アルミニウム−マグネシウム合金からなることに特徴を有するものである。
【発明の効果】
【００１２】
この発明によれば、ワイヤ収容容器を、ワイヤ収容容器内における溶射ワイヤの巻方向と同方向にかつ同期して回転させることによって、硬度が高い溶射ワイヤであっても、溶射ワイヤがワイヤ収容容器内で絡むことなく、溶射ワイヤを円滑に溶射ガンに送給することができる。
【００１３】
また、この発明は、アルミニウム−マグネシウム合金からなる溶射ワイヤの送給に適している。
【図面の簡単な説明】
【００１４】
【図１】この発明の溶射ワイヤ送給装置を用いたアーク溶射装置を示す概略構成図である。
【図２】この発明の溶射ワイヤ送給装置におけるワイヤ収容容器を示す平面図である。
【図３】この発明の溶射ワイヤ送給装置におけるワイヤ収容容器を示す正面図である。
【図４】従来のアーク溶射装置を示す概略斜視図である。
【発明を実施するための形態】
【００１５】
次に、この発明の溶射ワイヤ送給装置の一実施態様を、図面を参照しながら説明する。
【００１６】
図１は、この発明の溶射ワイヤ送給装置を用いたアーク溶射装置を示す概略構成図、図２は、この発明の溶射ワイヤ送給装置におけるワイヤ収容容器を示す正面図、図３は、この発明の溶射ワイヤ送給装置におけるワイヤ収容容器を示す平面図である。
【００１７】
図１から図３において、１は、この発明の溶射ワイヤ送給装置であり、ワイヤ収容容器２ａとワイヤ送給機３ａとからなっている。ワイヤ収容容器２ａ内には、アルミニウム−マグネシウム合金からなる溶射ワイヤ４ａがコイル状（この例では、反時計巻）に巻かれて収容されている（図２参照）。
【００１８】
ワイヤ収容容器２ａは、モータ５により一方向（この例では、反時計方向）に回転する。ワイヤ送給機３ａは、ワイヤ収容容器２ａ内に収容された溶射ワイヤ４ａをコーン形状のガイド６ａを介して溶射ガン７に一定速度で連続的に供給する。
【００１９】
ワイヤ収容容器２ａをワイヤ収容容器２ａ内に収容された溶射ワイヤ４ａの巻方向と同方向にかつ同期して回転させることによって、溶射ワイヤ４ａがワイヤ収容容器２ａ内で絡むことなく、溶射ワイヤ４ａを円滑に溶射ガン７に送給することができる。
【００２０】
８は、従来の溶射ワイヤ送給装置であり、ワイヤ収容容器２ｂとワイヤ送給機３ｂとからなっている。ワイヤ収容容器２ｂ内には、亜鉛からなる溶射ワイヤ４ｂがコイル状に巻かれて収容されている。ワイヤ送給機３ｂは、ワイヤ収容容器２ｂ内に収容された溶射ワイヤ４ｂをコーン形状のガイド６ｂを介して溶射ガン７に一定速度で連続的に供給する。
【００２１】
ワイヤ収容容器２ｂは、溶射ワイヤ４ｂの硬度がアルミニウム−マグネシウム合金からなる溶射ワイヤ４ａに比べて低いので、ワイヤ収容容器２ａのように回転させる必要はない。なお、ワイヤ収容容器２ｂをワイヤ収容容器２ａと同様に回転させれば、溶射ワイヤ４ｂをより円滑に溶射ガン７に供給することができる。
【００２２】
この発明の溶射ワイヤ送給装置によれば、例えば、アルミニウム−マグネシウム合金からなる硬度が高い溶射ワイヤであっても、溶射ワイヤがワイヤ収容容器内で絡むことなく、溶射ワイヤを円滑に溶射ガンに送給することができるので、溶射対象物としての、例えば、鋳鉄管９の表面に亜鉛とアルミニウム−マグネシウム合金とからなる金属被膜を均一に形成することができる。
【符号の説明】
【００２３】
１：この発明の溶射ワイヤ送給装置
２ａ、２ｂ：ワイヤ収容容器
３ａ、３ｂ：ワイヤ送給機
４ａ、４ｂ：溶射ワイヤ
５：モータ
６ａ、６ｂ：ガイド
７：溶射ガン
８：従来の溶射ワイヤ送給装置
９：鋳鉄管
１１ａ、１１ｂ：ワイヤ収容容器
１２ａ、１２ｂ：溶射ワイヤ
１３ａ、１３ｂ：ワイヤ送給機
１４：溶射ガン
【図１】
2014162970.tif 000003
【図２】
2014162970.tif 000004
【図３】
2014162970.tif 000005
【図４】
2014162970.tif 000006